(57)【要約】【課題】プレキャストコンクリート基礎の使用箇所を限定させることなく接合強度を高めたプレキャストコンクリート基礎の接合構造、プレキャストコンクリート基礎を提供する。【解決手段】第１のＰＣ基礎１と第２のＰＣ基礎２とを互いに密着接合して連結するＰＣ基礎の接合構造１００において、第１のＰＣ基礎１の接合端部１０に平面視略凹型の凹部１１を備え、凹部１１の側内壁１２の少なくとも何れか一方に複数の突起部１３を設け、凹部１１と第２のＰＣ基礎２の接合面２０とから形成される打設空間ｘにコンクリートを打設した。【選択図】図１
2006257663.tif 000002
【特許請求の範囲】
【請求項１】
第１のプレキャストコンクリート基礎と第２のプレキャストコンクリート基礎とを互いに密着接合して連結するプレキャストコンクリート基礎の接合構造において、
前記第１のプレキャストコンクリート基礎は、接合端部に平面視略凹型の凹部を備え、
前記凹部の側内壁の少なくとも何れか一方に複数の突起部が設けられており、
前記凹部と前記第２のプレキャストコンクリート基礎の接合面とから形成される空間にコンクリートが打設されていることを特徴とするプレキャストコンクリート基礎の接合構造。
【請求項２】
前記突起部は、前記凹部の前記側内壁に埋め込められた係合金具に係合する被係合金具であることを特徴とする請求項１に記載のプレキャストコンクリート基礎の接合構造。
【請求項３】
前記第２のプレキャストコンクリート基礎は、前記第２のプレキャストコンクリート基礎の前記接合面から前記空間内に突出する補強鉄筋を備えることを特徴とする請求項１又は２に記載のプレキャストコンクリート基礎の接合構造。
【請求項４】
前記凹部の前記側内壁に段差部が設けられていることを特徴とする請求項１〜３の何れか一項に記載のプレキャストコンクリート基礎の接合構造。
【請求項５】
被接合プレキャストコンクリート基礎の被接合端部に密着接合されて連結されるプレキャストコンクリート基礎であって、
前記被接合プレキャストコンクリート基礎の前記被接合端部と当接する接合端部に平面視略凹型の凹部を備え、
前記凹部の側内壁に複数の突起部が設けられていることを特徴とするプレキャストコンクリート基礎。
【発明の詳細な説明】
【技術分野】
【０００１】
本発明は、プレキャストコンクリート基礎の接合構造及びプレキャストコンクリート基礎に関する。
【背景技術】
【０００２】
従来から、住宅等の建物においては、地面に下部が埋設された状態で基礎を構築し、その上に基本構造となる柱や梁等を組み立てている。また、プレハブ式工業化住宅では、同様な基礎の上にパネルや箱型ユニット等を組み立て、これらにより地面に確実に固定された建物を構築している。
【０００３】
このような建物の基礎としては、地面に溝を掘り、コンクリートを現場打設し、硬化後に下部を埋める等して形成されるものが一般的である。一方、工業化住宅等においては、予め工場で製造されたプレキャストコンクリート基礎（以下、ＰＣ基礎）を溝内に並べ、接合して基礎を構築することもなされている。このようなＰＣ基礎を用いた施工においては、現場でのコンクリート型枠等の設置等を行う必要がないため、現場施工時間の短縮を図ることができる。
そして、ＰＣ基礎の接合構造としては、例えば、一方のＰＣ基礎の接合端部に平面視略凹型の凹部を備え、この凹部と他方のＰＣ基礎の接合面とで形成される空間にコンクリートを打設したものが知られている（例えば、特許文献１）。
この場合、他方のＰＣ基礎の接合面から補強鉄筋を突出させることも知られている。
【特許文献１】特開平８−８５９６０号公報
【発明の開示】
【発明が解決しようとする課題】
【０００４】
しかしながら、他方のＰＣ基礎側に補強鉄筋を突出させることは、そのＰＣ基礎の使用箇所が限定されてしまうという問題があった。
また、近年、相次ぐ地震の影響もあり、住宅の強度に対する要求は益々厳しくなる傾向にあり、ＰＣ基礎を用いた施工においては、ＰＣ基礎同士の接合部分の強度をより高くすることが望まれる。
【０００５】
本発明の課題は、プレキャストコンクリート基礎の使用箇所を限定させることなく接合強度を高めたプレキャストコンクリート基礎の接合構造、プレキャストコンクリート基礎を提供することである。
【課題を解決するための手段】
【０００６】
上記課題を解決するため、請求項１に記載の発明は、第１のプレキャストコンクリート基礎（第１のＰＣ基礎１）と第２のプレキャストコンクリート基礎（第２のＰＣ基礎２）とを互いに密着接合して連結するプレキャストコンクリート基礎の接合構造１００において、
第１のプレキャストコンクリート基礎（第１のＰＣ基礎１）は、接合端部１０に平面視略凹型の凹部１１を備え、
凹部１１の側内壁１２の少なくとも何れか一方に複数の突起部１３が設けられており、
凹部１１と第２のプレキャストコンクリート基礎（第２のＰＣ基礎２）の接合面２０とから形成される空間（打設空間ｘ）にコンクリートが打設されていることを特徴とする。
【０００７】
請求項２に記載の発明は、請求項１に記載のプレキャストコンクリート基礎の接合構造１００において、突起部１３は、凹部１１の側内壁１２に埋め込められた係合金具（インサートＩ）に係合する被係合金具（ボルトＢ）であることを特徴とする。
【０００８】
請求項３に記載の発明は、請求項１又は２に記載のプレキャストコンクリート基礎の接合構造１００において、第２のプレキャストコンクリート基礎（第２のＰＣ基礎２）は、第２のプレキャストコンクリート基礎（第２のＰＣ基礎２）の接合面２０から空間（打設空間ｘ）内に突出する補強鉄筋２１を備えることを特徴とする。
【０００９】
請求項４に記載の発明は、請求項１〜３の何れか一項に記載のプレキャストコンクリート基礎の接合構造１００において、凹部１１の側内壁１２に段差部１４が設けられていることを特徴とする。
【００１０】
請求項５に記載の発明は、被接合プレキャストコンクリート基礎の被接合端部に密着接合されて連結されるプレキャストコンクリート基礎であって、
被接合プレキャストコンクリート基礎の被接合端部と当接する接合端部１０に平面視略凹型の凹部１１を備え、
凹部１１の側内壁１２に複数の突起部１３が設けられていることを特徴とする。
【発明の効果】
【００１１】
請求項１に記載の発明によれば、第１のプレキャストコンクリート基礎（第１のＰＣ基礎１）は、接合端部１０に平面視略凹型の凹部１１を備え、凹部１１の側内壁１２の少なくとも何れか一方に複数の突起部１３が設けられており、凹部１１と第２のプレキャストコンクリート基礎（第２のＰＣ基礎２）の接合面２０とから形成される空間（打設空間ｘ）にコンクリートが打設されているので、接合部分に加えられた応力が突起部１３を介して空間（打設空間ｘ）に打設されたコンクリートに伝達されることとなって、第１のプレキャストコンクリート基礎（第１のＰＣ基礎１）と第２のプレキャストコンクリート基礎（第２のＰＣ基礎２）との接合構造１００の強度を高めることができる。従って、第２のプレキャスト基礎の接合面２０から補強鉄筋２１を突出させなくとも接合構造１００の強度を高めることができることとなって、第２のプレキャストコンクリート基礎（第２のＰＣ基礎２）の使用箇所を限定させることがない。
【００１２】
請求項２に記載の発明によれば、請求項１に記載の発明と同様の効果が得られるのは勿論のこと、特に、突起部１３は、凹部１１の側内壁１２に埋め込められた係合金具（インサートＩ）に係合する被係合金具（ボルトＢ）であるので、係合金具（インサートＩ）と被係合金具（ボルトＢ）の数及びサイズを調整することで第１のプレキャストコンクリート基礎（第１のＰＣ基礎１）と第２のプレキャストコンクリート基礎（第２のＰＣ基礎２）との接合構造１００の強度を調整できる。
また、凹部１１の側内壁１２に埋め込められた係合金具（インサートＩ）に被係合金具（ボルトＢ）を係合するだけで突起部１３が構成されるので、突起部１３を容易に凹部１１に備えることができる。
【００１３】
請求項３に記載の発明によれば、第２のプレキャストコンクリート基礎（第２のＰＣ基礎２）は、第２のプレキャストコンクリート基礎（第２のＰＣ基礎２）の接合面２０から空間（打設空間ｘ）内に突出する補強鉄筋２１を備えるので、第１のプレキャストコンクリート基礎（第１のＰＣ基礎１）と第２のプレキャストコンクリート基礎（第２のＰＣ基礎２）との接合構造１００の接合力が突起部１３と補強鉄筋２１の両方により補強されることとなって、接合構造１００の強度を従来のものよりもさらに高めることができる。
【００１４】
請求項４に記載の発明によれば、請求項１〜３の何れか一項に記載の発明と同様の効果が得られるのは勿論のこと、特に、凹部１１の側内壁１２に段差部１４が設けられているので、接合部分に加えられた応力が段差部１４を介して空間（打設空間ｘ）に打設されたコンクリートに伝達されることとなって、第１のプレキャストコンクリート基礎（第１のＰＣ基礎１）と第２のプレキャストコンクリート基礎（第２のＰＣ基礎２）との接合構造１００の接合力がさらに補強されることとなって、接合構造１００の強度をより一層高めることができる。
【００１５】
請求項５に記載の発明によれば、プレキャストコンクリート基礎は、被接合プレキャストコンクリート基礎の被接合端部と当接する接合端部１０に平面視略凹型の凹部１１を備え、凹部１１の側内壁１２に複数の突起部１３が設けられているので、突起部１３を介して応力が空間（打設空間ｘ）に打設されたコンクリートに伝達することとなって、プレキャストコンクリート基礎と被接合プレキャストコンクリート基礎との接合構造１００の強度を高めることができる。即ち、本発明のプレキャストコンクリート基礎を用いることで、被接合プレキャスト基礎の接合面２０から補強鉄筋２１を突出させなくとも接合構造１００の強度を高めることができる。
【発明を実施するための最良の形態】
【００１６】
以下、図を参照して本発明を実施するための最良の形態を詳細に説明する。
本発明に係るプレキャストコンクリート基礎の接合構造１００においては、図１に示すように、本発明に係るプレキャストコンクリート基礎（以下、ＰＣ基礎とする）である、第１のＰＣ基礎１の接合端部１０に備えられた平面視略凹型の凹部１１と被接合プレキャストコンクリート基礎である第２のＰＣ基礎２の接合面２０とから形成される空間としての打設空間ｘにモルタル，コンクリート等を現場にて打設することにより、第１のＰＣ基礎１と第２のＰＣ基礎２とが密着接合されて連結される。
【００１７】
第１のＰＣ基礎１は、中央部よりも幅方向の厚みが厚くされている接合端部１０に設けられた凹部１１，当該凹部１１の側内壁１２の一方に設けられた複数の突起部１３，凹部１１の側内壁１２の一方に設けられた段差部１４，当該第１のＰＣ基礎１内に埋設された鉄筋１５等を備えて構成される。
【００１８】
凹部１１は、接合端部１０の端面部が開放するように設けられている。また、凹部１１の上側はモルタル，コンクリート等を打設可能に開口されている。
【００１９】
段差部１４は、図２に示すように、凹部１１の突起部１３が設けられている側内壁１２に、第１のＰＣ基礎１の長手方向に沿って延在して三段に設けられている。
そして、複数の突起部１３は、側内壁１２の当該段差部１４,１４間に、該側内壁１２の壁面から突出して設けられており、その突出高さは、段差部１４の高さよりも高くなっている。
【００２０】
突起部１３は、例えば、被係合金具であるボルトＢにより構成される。突起部１３が設けられる凹部１１の側内壁１２には、係合金具であるインサートＩが埋め込められており、突起部１３はボルトＢがインサートＩに係合されることにより、凹部１１の側内壁１２に備えられる。
そして、第１のＰＣ基礎１の凹部１１の側内壁１２に設けられるボルトＢ及びインサートＩの数およびサイズが適宜調節されることにより、接合構造１００の強度が調節される。
【００２１】
鉄筋１５は、例えば、第２のＰＣ基礎２の接合面２０に略垂直な第１のＰＣ基礎１の長手方向に沿って、接合端部１０の突起部１３が設けられる端部側に延びて、当該第１のＰＣ基礎１内に、上下２本設けられた主筋１５ａと、この主筋に直交し且つ主筋の長手方向に所定の間隔で配置された副筋（図示省略）などにより構成される。
なお、第１のＰＣ基礎１に備えられる鉄筋１５は、上述の構成に限られるものではなく、適宜必要本数備えられてよい。
【００２２】
第２のＰＣ基礎２は、平坦な接合面２０と、第２のＰＣ基礎２内に埋設された補強鉄筋２１等を備えて構成される。
【００２３】
補強鉄筋２１は、例えば、第２のＰＣ基礎２に、当該第２のＰＣ基礎２の長手方向に沿って上下２本、備えられている。そして、上下２本の補強鉄筋２１は、第２のＰＣ基礎２に埋設されるとともに、接合面２０から打設空間ｘ内に突出するように備えられている。また、上側の補強鉄筋２１の接合面２０から打設空間ｘ内に突出する端部は打設空間ｘ内で下方に折り曲げられており、下側の補強鉄筋２１の接合面２０から打設空間ｘ内に突出する端部は打設空間ｘ内で上方に折り曲げられている。
なお、第２のＰＣ基礎２に備えられる補強鉄筋２１は、上述の２本に限られるものではなく、適宜必要本数備えられてよい。また、補強鉄筋２１の形状も、上述に限られるものではなく、接合面２０から打設空間ｘ内に突出するものであればよい。
【００２４】
次に、第１のＰＣ基礎１の製造方法について説明する。第１のＰＣ基礎１は、図３に示す型枠３にコンクリートを打設することにより形成される。
型枠３は、図３に示すように、第１のＰＣ基礎１の外形と同形の内部空間３０を備え、インサートＩは、型枠３の内壁面の所定の位置に取付ボルト３１により着脱可能に固定されている。
そして、当該型枠３の内部空間３０に、鉄筋１５を配置し、コンクリートを打設した後、取付ボルト３１を外し、型枠３を脱型して、第１のＰＣ基礎１が形成される。
ここで、インサートＩは、取付ボルト３１を外すことにより、型枠３から離れるようになっているので、第１のＰＣ基礎１が形成されると同時に当該第１のＰＣ基礎１に埋め込められることとなる。
【００２５】
次に、上述のようにして形成された第１のＰＣ基礎１に埋め込められたインサートＩにボルトＢを係合することにより、第１のＰＣ基礎１が製造される。なお、ボルトＢは、工場においてインサートＩへ係合されてもよいし、現場において係合されてもよい。
以上のようにして、工場において予め製造された第１のＰＣ基礎１は、現場に運搬されて、第２のＰＣ基礎２と連結接合される。
【００２６】
次に、以上に説明した第１のＰＣ基礎１と第２のＰＣ基礎２の連結接合作業について説明する。
まず、第１のＰＣ基礎１と第２のＰＣ基礎２とを、第２のＰＣ基礎２接合面２０において密着するようにクレーン等により所定位置に配置する。次に、第１のＰＣ基礎１と第２のＰＣ基礎２とが接合面２０において密着されて配置されることにより、第１のＰＣ基礎１の凹部１１と第２のＰＣ基礎２の接合面２０から形成される打設空間ｘにモルタル，コンクリート等が打設されることにより、第１のＰＣ基礎１と第２のＰＣ基礎２とが連結される。
【００２７】
以上に説明した本発明に係るプレキャストコンクリート基礎の接合構造１００によれば、第１のＰＣ基礎１は、接合端部１０に平面視略凹型の凹部１１を備え、凹部１１の側内壁１２の少なくとも何れか一方に複数の突起部１３が設けられており、凹部１１と第２のＰＣ基礎２の接合面２０とから形成される打設空間ｘにコンクリートが打設されているので、接合部分に加えられた応力が突起部１３を介して打設空間ｘに打設されたコンクリートに伝達することとなって、第１のＰＣ基礎１と第２のＰＣ基礎２との接合構造１００の強度を高めることができる。従って、第２のＰＣ基礎２の接合面２０から補強鉄筋２１を突出させなくとも接合構造１００の強度を高めることができることとなって、第２のＰＣ基礎２の使用箇所を限定させることがない。
【００２８】
また、突起部１３は、凹部１１の側内壁１２に埋め込められたインサートＩに係合するボルトＢであるので、インサートＩとボルトＢの数及びサイズを調整することで第１のＰＣ基礎１と第２のＰＣ基礎２との接合構造１００の強度を調整できる。
また、凹部１１の側内壁１２に埋め込められたインサートＩにボルトＢを係合するだけで突起部１３が構成されるので、突起部１３を容易に凹部１１に備えることができる。
【００２９】
また、第２のＰＣ基礎２は、第２のＰＣ基礎２の接合面２０から打設空間ｘ内に突出する補強鉄筋２１を備えるので、第１のＰＣ基礎１と第２のＰＣ基礎２との接合構造１００の接合力が突起部１３と補強鉄筋２１の両方により補強されることとなって、接合構造１００の強度を従来のものよりもさらに高めることができる。
【００３０】
また、凹部１１の側内壁１２に段差部１４が設けられているので、接合部分に加えられた応力が段差部１４を介して打設空間ｘに打設されたコンクリートに伝達されることとなって、第１のＰＣ基礎１と第２のＰＣ基礎２との接合構造１００の接合力がさらに補強されることとなって、接合構造１００の強度をより一層高めることができる。
【００３１】
また、本発明に係る第１のＰＣ基礎１によれば、第１のＰＣ基礎１は、第２のＰＣ基礎２の被接合端部と当接する接合端部１０に平面視略凹型の凹部１１を備え、凹部１１の側内壁１２に複数の突起部１３が設けられているので、突起部１３を介して応力が打設空間ｘに打設されたコンクリートに伝達することとなって、第１のＰＣ基礎１と第２のＰＣ基礎２との接合構造１００の強度を高めることができる。即ち、本発明の第１のＰＣ基礎１を用いることで、第２のＰＣ基礎２の接合面２０から補強鉄筋２１を突出させなくとも接合構造の強度を高めることができる。
【００３２】
なお、本実施形態においては、突起部１３が凹部１１の側内壁１２の一方に設けられることとしたが、両方の側内壁１２に設けられてもよい。
また、突起部１３は、側内壁１２に埋め込められたインサートＩに係合するボルトＢであるとしたが、他の構成であってもよく、例えば、側内壁１２から当該側内壁１２の表面に対して略垂直に突出する鉄筋等により構成されてもよい。
また、インサートＩは型枠３へ取付ボルト３１により固定されることとしたが、他の方法で固定されてもよく、両面テープにより固定されてもよい。
【図面の簡単な説明】
【００３３】
【図１】本発明に係るプレキャストコンクリート基礎の接合構造を示す平面図である。
【図２】図１のおけるＩＩ−ＩＩ断面図である。
【図３】本発明に係るプレキャストコンクリート基礎の型枠を示す平面図である。
【符号の説明】
【００３４】
１００  接合構造
１  第１のＰＣ基礎（第１のプレキャスト基礎，プレキャスト基礎）
１０  接合端部
１１  凹部
１２  側内壁
１３  突起部
１４  段差部
２  第２のＰＣ基礎（第２のプレキャスト基礎，被接合プレキャスト基礎）
２０  接合面
２１  補強鉄筋
Ｂ  ボルト（被係合金具）
Ｉ  インサート（係合金具）
ｘ  打設空間（空間）
【図１】
2006257663.tif 000003
【図２】
2006257663.tif 000004
【図３】
2006257663.tif 000005